(57)【要約】  横編機を用いた新規な形状の装飾ユニットを形成できる編地の編成方法を提供する。  ベース編地部（１）の編幅方向に伸びる下辺（２Ｄ）と、下辺（２Ｄ）の左端部から編幅方向に交差する方向に伸びる左辺（２Ｌ）と、下辺（２Ｄ）の右端部から編幅方向に交差する方向に伸びる右辺（２Ｒ）と、で構成される装飾ユニット（２）を、ベース編地部（１）の表面に形成する。下辺（２Ｄ）は、ベース編地部（１）の編幅方向に伸びる渡り糸で構成される。また、左辺（２Ｌ）および右辺（２Ｒ）は、編幅方向に交差する方向に引き延ばされた編目で構成される。渡り糸および編目は、一度に編成する。
2016059879.tif 000002
【特許請求の範囲】
【請求項１】
前後に対向する一方の針床および他方の針床と、それらの針床の編針に編糸を給糸する複数の給糸口と、を備える横編機を用いて、
ベース編地部を編成すると共に、前記ベース編地部を編成するベース編糸とは異なる装飾編糸を前記ベース編地部に編み込む編地の編成方法において、
下記工程α〜下記工程εによって、前記ベース編地部の編幅方向に伸びる下辺と、前記下辺の左端部から前記編幅方向に交差する方向に伸びる左辺と、前記下辺の右端部から前記編幅方向に交差する方向に伸びる右辺と、で構成される装飾ユニットを、前記ベース編地部の表面に形成する編地の編成方法。
前記下辺を形成する準備として、前記一方の針床に係止される前記ベース編地部の一部の編目を前記他方の針床に目移しし、少なくとも前記左辺を形成する起点となる左側起点編目と前記右辺を形成する起点となる右側起点編目を前記一方の針床に残す工程α。
前記装飾編糸を用いて、前記左側起点編目のウエール方向に連続する左辺編目、および前記右側起点編目のウエール方向に連続する右辺編目を編成すると共に、前記左辺編目と前記右辺編目との間にある空針に掛け目を形成する工程β。
前記掛け目を編針から外し、前記左辺編目と前記右辺編目との間に、前記工程αで前記他方の針床に目移しした編目の表側を横切る前記装飾編糸で構成される前記下辺を形成する工程γ。
前記一方の針床に前記左辺編目および前記右辺編目を係止させたまま、前記ベース編地部の編成コース数を増す工程δ。
前記左辺編目および前記右辺編目を前記ベース編地部の編目と重ね合わせて固定し、前記左辺編目で構成される前記左辺と前記右辺編目で構成される前記右辺とを形成する工程ε。
【請求項２】
前記工程αにおいて、前記一方の針床に、複数の前記左側起点編目と複数の前記右側起点編目を残す請求項１に記載の編地の編成方法。
【請求項３】
下記工程ζ，ηによって、前記左辺の上端と、前記右辺の上端と、を繋ぐ上辺を形成する請求項１または請求項２に記載の編地の編成方法。
前記工程εの後に、前記上辺を形成する準備として、前記一方の針床に係止される前記ベース編地部の一部の編目を前記他方の針床に目移しし、少なくとも前記上辺の左端を固定するための左固定編目と、前記上辺の右端を固定するための右固定編目を前記一方の針床に残す工程ζ。
前記装飾編糸を用いて、前記左固定編目と前記右固定編目とにタックを行うと共に、両固定編目の間でミスを行い、両固定編目の間に、前記工程ζで前記他方の針床に目移しした編目の表側を横切る前記上辺を形成する工程η。
【請求項４】
前記工程δにおいて、
前記ベース編地部を、前記一方の針床で編成されるベース前部と前記他方の針床で編成されるベース後部とに分岐させる工程δ１と、
少なくとも前記ベース前部のコース数を増す工程δ２と、
前記ベース前部と前記ベース後部とを編成によって繋ぐ工程δ３と、
を行うことで、前記ベース編地部をチューブ状に形成する請求項１〜請求項３のいずれか１項に記載の編地の編成方法。
【請求項５】
前記ベース編地部が前記一方の針床と前記他方の針床に係止され、かつ前記ベース編地部の編幅内に空針が無い状態から前記装飾ユニットを編成する際、
前記工程αの前に、目移しによって前記ベース編地部の編幅内に空針を形成する請求項１〜請求項４のいずれか１項に記載の編地の編成方法。
【発明の詳細な説明】
【技術分野】
【０００１】
本発明は、編地を構成するベース編地部に縫製によって形成したような新規な形状の装飾を施すことができる編地の編成方法に関する。
【背景技術】
【０００２】
横編機を用いて種々の編組織を有する編地を編成することが行なわれている。例えば、特許文献１には、編地の本体であるベース編地部に、ベース編地部を編成するベース編糸とは異なる編糸（装飾編糸）を編み込む編地の編成方法、およびその編成方法で編成された編地が開示されている。装飾編糸は、ベース編地部における表側の面上の２点間に掛け渡され、編地の表面を装飾する。【０００３】
一方、縫製によって編地の表面に装飾を施すことが従来から行われている。縫製であれば、あらゆる形状の装飾柄、例えばボックス形状の装飾ユニットを連ねた装飾柄などを編地に形成することができる。
【先行技術文献】
【特許文献】
【０００４】
【特許文献１】特開２００８−３０３４８９号公報
【発明の概要】
【発明が解決しようとする課題】
【０００５】
縫製による装飾柄の形成は、ベース編地部の編成を行なった後に、編成とは独立して行なわれるため、非常に手間がかかる。生産性良く編地を提供するためには、上記特許文献１の編地の編成方法などを用いて、横編機に装飾柄を編成させれば良いが、特許文献１の編地の編成方法によって編成できる装飾柄の形状は限定的である。そのため、横編機を用いた新規な形状の装飾柄をベース編地部に形成する編地の編成方法の開発が望まれている。新規な形状の装飾柄を形成できる編地の編成方法が得られれば、多様なデザインの編地を生産性良く消費者に提供できる。【０００６】
本発明は上記事情に鑑みてなされたもので、その目的の一つは、横編機を用いた新規な形状の装飾柄を形成できる編地の編成方法を提供することにある。
【課題を解決するための手段】
【０００７】
本発明の編地の編成方法は、前後に対向する一方の針床および他方の針床と、それらの針床の編針に編糸を給糸する複数の給糸口と、を備える横編機を用いて、ベース編地部を編成すると共に、前記ベース編地部を編成するベース編糸とは異なる装飾編糸を前記ベース編地部に編み込む編地の編成方法である。この本発明の編地の編成方法では、下記工程α〜下記工程εによって、前記ベース編地部の編幅方向に伸びる下辺と、前記下辺の左端部から前記編幅方向に交差する方向に伸びる左辺と、前記下辺の右端部から前記編幅方向に交差する方向に伸びる右辺と、で構成される装飾ユニットを、前記ベース編地部の表面に形成する。
［工程α］…前記下辺を形成する準備として、前記一方の針床に係止される前記ベース編地部の一部の編目を前記他方の針床に目移しし、少なくとも前記左辺を形成する起点となる左側起点編目と前記右辺を形成する起点となる右側起点編目を前記一方の針床に残す。
［工程β］…前記装飾編糸を用いて、前記左側起点編目のウエール方向に連続する左辺編目、および前記右側起点編目のウエール方向に連続する右辺編目を編成すると共に、前記左辺編目と前記右辺編目との間にある空針に掛け目を形成する。
［工程γ］…前記掛け目を編針から外し、前記左辺編目と前記右辺編目との間に、前記工程αで前記他方の針床に目移しした編目の表側（つまり、その編目の前記一方の針床側）を横切る前記装飾編糸で構成される前記下辺を形成する。
［工程δ］…前記一方の針床に前記左辺編目および前記右辺編目を係止させたまま、前記ベース編地部の編成コース数を増す。
［工程ε］…前記左辺編目および前記右辺編目を前記ベース編地部の編目と重ね合わせて固定し、前記左辺編目で構成される前記左辺と前記右辺編目で構成される前記右辺とを形成する。【０００８】
本発明の編地の編成方法の一形態として、前記工程αにおいて、前記一方の針床に、複数の前記左側起点編目と複数の前記右側起点編目を残す形態を挙げることができる。複数の装飾ユニットを編幅方向に隣接して編成する場合、後述する実施形態１に示すように、左側にある装飾ユニットを形成するための右側起点編目が、右側にある装飾ユニットを形成するための左側起点編目を兼ねていても良い。もちろん、複数の装飾ユニットを編幅方向に隣接して編成する場合でも、全ての起点編目を別々の編目としても構わない。【０００９】
本発明の編地の編成方法の一形態として、下記工程ζ，ηによって、前記左辺の上端と、前記右辺の上端と、を繋ぐ上辺を形成する形態を挙げることができる。
［工程ζ］…前記工程εの後に、前記上辺を形成する準備として、前記一方の針床に係止される前記ベース編地部の一部の編目を前記他方の針床に目移しし、少なくとも前記上辺の左端を固定するための左固定編目と、前記上辺の右端を固定するための右固定編目を前記一方の針床に残す。
［工程η］…前記装飾編糸を用いて、前記左固定編目と前記右固定編目とにタックを行うと共に、両固定編目の間でミスを行い、両固定編目の間に、前記工程ζで前記他方の針床に目移しした編目の表側を横切る前記上辺を形成する。【００１０】
本発明の編地の編成方法の一形態として、前記工程δにおいて、下記工程δ１〜工程δ３を行うことで、前記ベース編地部をチューブ状に形成する形態を挙げることができる。
［工程δ１］…前記ベース編地部を、前記一方の針床で編成されるベース前部と前記他方の針床で編成されるベース後部とに分岐させる。
［工程δ２］…少なくとも前記ベース前部のコース数を増す。
［工程δ３］…前記ベース前部と前記ベース後部とを編成によって繋ぐ。【００１１】
本発明の編地の編成方法の一形態として、前記ベース編地部が前記一方の針床と前記他方の針床に係止され、かつ前記ベース編地部の編幅内に空針が無い状態から前記装飾ユニットを編成する際、前記工程αの前に、目移しによって前記ベース編地部の編幅内に空針を形成する形態を挙げることができる。
【発明の効果】
【００１２】
本発明の編地の編成方法によれば、ベース編地部の編幅方向に並ぶ下辺と、その両端部から下辺と交差する方向に伸びる左辺および右辺と、で構成される新規な形状の装飾ユニットを形成することができる。この基本形状の装飾ユニットを組み合わせれば、後述する実施形態に示すように、無縫製で多様なデザインの装飾柄をベース編地部に形成することができる。【００１３】
工程αにおいて、起点編目を複数形成する編地の編成方法によれば、ベース編地部の編幅方向に複数の装飾ユニットが並んだ組織柄を有する編地を編成することができる。【００１４】
工程εの後に工程ζ，ηを行う本発明の編地の編成方法によれば、右辺の上端と左辺の上端とを繋ぐ上辺を備えるボックス形状の装飾ユニットを形成することができる。【００１５】
工程δにおいて工程δ１〜δ３を行う本発明の編地の編成方法によれば、ベース編地部における装飾ユニットが形成される部分を編幅方向を軸とするチューブ状に形成することができる。チューブ状に形成された部分は、他の部分よりも膨らんだ状態になるため、チューブ状に形成された部分に形成される装飾ユニットを強調することができる。【００１６】
工程αの前に、目移しによってベース編地部の編幅内に空針を形成する本発明の編地の編成方法によれば、ベース編地部が前後の針床に総針状態で係止されていても、装飾ユニットの形成を行うことができる。
【図面の簡単な説明】
【００１７】
【図１】実施形態１のシューズアッパーの概略斜視図である。
【図２】実施形態１のシューズアッパーの編成手順を模式的に示す編成イメージ図である。
【図３】実施形態１のシューズアッパーに備わる装飾ユニットの編成工程図である。
【図４】図３に続く装飾ユニットの編成工程図である。
【図５】図４に続く装飾ユニットの編成工程図である。
【図６】（Ａ）〜（Ｄ）は、実施形態１の編地の編成方法を応用して編成された装飾ユニットの一例を示す模式図である。
【発明を実施するための形態】
【００１８】
以下、本発明の編地の編成方法の実施形態を図面に基づいて説明する。左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００１９】
＜実施形態１＞
≪全体構成≫
実施形態１では、図１に示すシューズアッパー（編地）１００を例にして本発明の編地の編成方法を説明する。このシューズアッパー１００は、足の甲側の部分を覆うインステップカバー１１０と、足裏を覆うソールカバー１２０と、で構成されており、横編機によって無縫製で編成されている。インステップカバー１１０には、ボックス形状の装飾ユニット２が鎖状に繋がった装飾柄１１１が形成されている。装飾柄１１１は、縫製によって形成されたように見えるが、編成によって形成されている。ここで、便宜上、インステップカバー１１０のうち、装飾柄１１１よりも上側の部分を甲部１１２、下側の部分を側部１１３と呼ぶ。
【００２０】
ボックス形状の装飾ユニット２は、下辺２Ｄ、左辺２Ｌ、右辺２Ｒ、および上辺２Ｕで構成されている。上記下辺２Ｄおよび上辺２Ｕは、ベース編地部１（インステップカバー１１０）の編幅方向に伸びる渡り糸で構成されている。一方、左辺２Ｌおよび右辺２Ｒは、ベース編地部１のウエール方向（編幅方向に交差する方向）に引き延ばされた編目で構成されている。左辺２Ｌを構成する編目は、下辺２Ｄを構成する渡り糸の左端部に繋がっている。一方、右辺２Ｒを構成する編目は、下辺２Ｄの右端部に繋がっていないように見える。これは、装飾ユニット２を縫製状の見た目にするために、敢えて下辺２Ｄの右端部の一部をベース編地部１の裏側に配置しているためであって、実際には右辺２Ｒを構成する編目は、ベース編地部１の裏側で下辺２Ｄを構成する渡り糸に繋がっている。また本例では、左側の装飾ユニット２の右辺２Ｒが、右側の装飾ユニット２の左辺２Ｌを兼ねている。これらの辺２Ｄ，２Ｌ，２Ｒ，２Ｕを備える装飾ユニット２は、横編機を用いて無縫製で編成されている。以下、装飾ユニット２を編成する編地の編成方法を説明する。
【００２１】
≪シューズアッパーの編成方法≫
装飾ユニット２の編成手順の説明をする前に、まずシューズアッパー１００の全体的な編成手順を説明する。シューズアッパー１００は、例えば、図２に示す手順で編成することができる。図２に示す手順では、シューズアッパー１００を針床上で横向きに編成している。この図２では、装飾柄１１１が形成される部分、側部１１３、およびソールカバー１２０については右側部分のみ図示されており、それらの左側部分は右側部分の奥側にある。
【００２２】
図２では、まずＦＢとＢＢに編出し部１００ｓを形成する。その編出し部１００ｓに続いて、ＦＢ（あるいはＢＢ）を用いてインステップカバー１１０の甲部１１２を編成する。次に、ＦＢとＢＢを用いて装飾柄１１１が形成される部分を編成した後、ＦＢとＢＢを用いた筒状編成や往復編成によってインステップカバー１１０の側部１１３を編成する。そして、ＦＢとＢＢとで別個に往復編成を行って、ソールカバー１２０の右側部分と左側部分を編成し、最後にそれら右側部分と左側部分とを編成で接合する。
【００２３】
≪縫製のような装飾柄の編成≫
図２に示す装飾柄１１１が形成される部分は、図３〜５に示す編成工程図に従って編成することができる。図３〜５の左欄の『Ｓ＋数字』は編成工程の番号を示し、右欄にはＦＢとＢＢにおける編目の形成状態が示されている。各工程で実際に編成を行った部分は太線で示す。また、図中の大文字アルファベットは、編針の位置を示す。ベース編地部１Ｆの編目はダイヤマークで、ベース編地部１Ｂの編目は五角形マークで、ベース編地部１Ｆ，１Ｂを編成するベース編糸Ｙ７とは異なる装飾編糸Ｙ８で編成される編目は丸マークで示す。二重マークは重ね目を示す。
【００２４】
Ｓ０には、ＦＢの編針Ｂ〜Ｐにベース編地部１Ｆの編目が、ＢＢの編針Ｂ〜Ｐにベース編地部１Ｂの編目が係止された状態が示されている。これらベース編地部１Ｆ，１Ｂは、ベース編糸Ｙ７で編成されている。ベース編糸Ｙ７には、ウール糸、弾性糸、あるいは熱融着糸などを利用することができる。シューズアッパーに装飾柄１１１を形成する場合、ベース編糸Ｙ７は熱融着糸とすることが好ましい。ベース編地部１Ｆ，１Ｂの編幅内には空針が形成されておらず、詰んだ編目からなるベース編地部１Ｆ，１Ｂとなっている。この状態から、装飾ユニット１１１（図１，２参照）の編成を行う。
【００２５】
Ｓ１では、ベース編地部１Ｆ，１Ｂの一部を編幅方向に移動させ、ベース編地部１Ｆ，１Ｂの編幅内に空針を形成する。ＢＢ（ＦＢ）に形成される空針は、ベース編地部１Ｆ（１Ｂ）に装飾ユニット２を形成する際に、ベース編地部１Ｆ（１Ｂ）の編目を一時的に預けておくためのものである（ベース編地部１Ｆを預ける操作については次のＳ２を参照）。また、空針の形成位置は、ベース編地部１Ｆ（１Ｂ）をＢＢ（ＦＢ）に預ける際、編目の移動距離が小さくなるように選択すると良い。本例では、ＦＢの編針Ｅ，Ｇ，Ｋ，Ｍ、およびＢＢの編針Ｅ，Ｇ，Ｋ，Ｍに係止される編目を紙面左隣の編目に重ねることで、上記編針Ｅ，Ｇ，Ｋ，Ｍを空針としている。なお、Ｓ１で形成した重ね目は、Ｓ２以降は、二重マークではなく一重マークで示す。
【００２６】
Ｓ２では、ＦＢの編針Ｂ，Ｆ，Ｈ，Ｌ，Ｎに係止されるベース編地部１Ｆの編目を、ＢＢの編針Ａ，Ｅ，Ｇ，Ｋ，Ｍに目移しする。この目移しによって、ＦＢの編針Ｃ，Ｄ，Ｉ，Ｊ，Ｏ，Ｐにベース編地部１Ｆの編目が残る（工程αに相当）。ＦＢに残った編目の一部は、図１の丸囲み拡大図に示す装飾ユニット２の左辺２Ｌを形成する起点となる左側起点編目１１と、装飾ユニット２の右辺２Ｒを形成する起点となる右側起点編目１９である。具体的には以下の通りである。
・ＦＢの編針Ｄの編目が、左側の装飾ユニット２の左辺２Ｌを形成するための左側起点編目１１である。
・ＦＢの編針Ｊの編目が、左側の装飾ユニット２の右辺２Ｒを形成するための右側起点編目１９であり、かつ右側の装飾ユニット２の左辺２Ｌを形成するための左側起点編目１１である。
・ＦＢの編針Ｐの編目が、右側の装飾ユニット２の右辺２Ｒを形成するための右側起点編目１９である。
【００２７】
Ｓ３では、ベース編糸Ｙ７とは異なる編糸である装飾編糸Ｙ８を給糸口８から給糸して、ＦＢの編針Ｂ，Ｆ，Ｈ，Ｌ，Ｎに掛け目２５を形成すると共に、ＦＢの編針Ｄ，Ｊ，Ｐの起点編目１１，１９に続く編目を形成する（工程βに相当）。ＦＢの編針Ｄに形成する編目は、左側の装飾ユニット２の左辺２Ｌとなる左辺編目２１である。ＦＢの編針Ｊに形成する編目は、左側の装飾ユニット２の右辺２Ｒとなる右辺編目２９であり、右側の装飾ユニット２の左辺２Ｌとなる左辺編目２１でもある。ＦＢの編針Ｐに形成する編目は、右側の装飾ユニット２の右辺２Ｒとなる右辺編目２９である。上記装飾編糸Ｙ８は、ベース編糸Ｙ７とは素材、質感、太さ、あるいは色の異なる編糸とする。特に、装飾編糸Ｙ８の色を、ベース編糸Ｙ７とは異なる色にすれば、装飾ユニット２を目立たせることができる。
【００２８】
ここで、左辺編目２１と右辺編目２９は、どちらを先に形成しても良い。どちらの編目２１，２９を先に形成するかは、給糸口８の移動方向に依る。また、掛け目２５の形成位置は特に限定されない。本例の場合、ＢＢに空針がないためＦＢに掛け目２５を形成しているが、例えば４枚ベッド横編機を用いる場合、上部後針床に掛け目２５を形成することもできる。掛け目２５は、次のＳ４で針床から外してしまうため、どの針床の編針に作っても良い。
【００２９】
Ｓ４では、Ｓ３で形成した掛け目２５をＦＢから外す（工程γに相当）。その結果、Ｓ２においてＢＢに目移ししておいたベース編地部１Ｆの編目（ＢＢの編針Ａ，Ｅ，Ｇ，Ｋ，Ｍの編目）の表側を横切る装飾編糸Ｙ８で構成される下辺２Ｄが形成される。ＦＢから外した掛け目２５の分だけ、左辺編目２１と右辺編目２９の間の糸長が長くなっているため、両編目２１，２９を大きくすることができる。Ｓ４において、掛け目２５をＦＢから外すことに加えて、左辺編目１１および右辺編目１９が係止されるＦＢの編針Ｄ，Ｊ，Ｐを歯口から後退させ、左辺編目２１および右辺編目２９を大きくしても構わない。
【００３０】
Ｓ５では、Ｓ２においてＢＢの編針Ａ，Ｅ，Ｇ，Ｋ，Ｍに預けておいたベース編地部１Ｆの編目を、ＦＢの編針Ｂ，Ｆ，Ｈ，Ｌ，Ｎに戻す。Ｓ５の後は、ベース編地部１Ｂに対してもＳ２〜Ｓ５と同様の編成を行う。ベース編地部１Ｂに対する編成が終了したときの編目の係止状態、および装飾編糸Ｙ８の配置状態をＳ６に示す。
【００３１】
図４のＳ７では、ＦＢにおける編目の配置を変更する。具体的には、ＦＢの編針Ｃ，Ｉ，Ｏに係止されるベース編地部１Ｆの編目をＦＢの編針Ｄ，Ｊ，Ｐに目移しする共に、ＦＢの編針Ｄ，Ｊ，Ｐに係止される左辺編目２１および右辺編目２９をＦＢの編針Ｅ，Ｋ，Ｑに目移しする。この編目の配置の変更は、ベース編地部１Ｆの各編目の間隔を均等にすることで、次のＳ８でベース編地部１Ｆを編成する際にベース編地部１Ｆの各編目の大きさを揃えるために行っている。
【００３２】
Ｓ８では、給糸口７を一方向に移動させ、ＦＢの編針Ｂ，Ｄ，Ｆ，Ｈ，Ｊ，Ｌ，Ｎ，Ｐに係止する編目に新たな編目を形成すると共に、ＢＢの編針Ｅ，Ｇ，Ｋ，Ｍに掛け目を形成する（工程δ１に相当）。このＳ８によって、ベース編地部１Ｆが、ＦＢで編成されるベース前部１０Ｆと、ＢＢで編成されるベース後部１０Ｂと、に分岐される。
【００３３】
Ｓ９では、ＢＢに係止されるベース後部１０Ｂの編目に新たな編目を編成し、Ｓ１０では、ＦＢに係止されるベース前部１０Ｆの編目に新たな編目を編成する。Ｓ９，Ｓ１０は、必要に応じて繰り返す（工程δ２に相当）。この繰り返しの回数によって装飾ユニット２の左辺２Ｌおよび右辺２Ｒの長さが決まる。Ｓ９，Ｓ１０を同じ回数だけ繰り返せば、ベース編地部１Ｆにおける装飾ユニット２が形成される部分の断面が略円形のチューブ状になる。また、Ｓ９を行う回数よりもＳ１０を行う回数を多くする、あるいはＳ９を行わずにＳ１０のみを繰り返すことで、当該断面が略Ｄ字形のチューブ状となる。この場合、ベース編地部１のうち、着用者に触れる側を平坦な形状とすることができる。
【００３４】
ベース編地部１Ｆと同様に、ベース編地部１Ｂをチューブ状に形成する場合、ベース編地部１Ｆの端部の孔と、ベース編地部１Ｂの端部の孔と、を繋げても良い。孔を繋げる場合、ベース編地部１Ｆの編成コースを増す際、ベース編地部１Ｆの編幅の外側に掛け目を形成しておき、ベース編地部１Ｂを編成する際、その掛け目をベース編地部１Ｂに編み込むと良い。
【００３５】
Ｓ１１では、ＢＢの編針Ｅ，Ｇ，Ｋ，Ｍに係止されるベース後部１０Ｂを、ＦＢの編針Ｄ，Ｆ，Ｊ，Ｌに係止されるベース前部１０Ｆに重ね合わせる。このＳ１１は、ベース前部１０Ｆとベース後部１０Ｂとを接続するために行う工程であるが、この時点ではまだ両部１０Ｆ，１０Ｂは接続されない。
【００３６】
Ｓ１１の後、ベース編地部１ＢについてもＳ８〜Ｓ１１と同様の編成を行う。ベース編地部１Ｂに対する編成が終了したときの編目の係止状態をＳ１２に示す。
【００３７】
図５のＳ１３では、ベース編地部１Ｆ，１Ｂを一コース分編成する（工程δ３に相当）。このＳ１３によって、ベース編地部１Ｆ（１Ｂ）のベース前部１０Ｆとベース後部１０Ｂとが接続される。
【００３８】
Ｓ１４では、ＦＢの編針Ｂ，Ｄ，Ｈ，Ｊ，Ｎ，Ｐに係止されるベース編地部１Ｆの編目を、ＢＢの編針Ｃ，Ｅ，Ｉ，Ｋ，Ｏ，Ｑに目移しする。この目移しによって、ＦＢの編針Ｆ，Ｌにベース編地部１Ｆの編目が残る（工程ζ）。ＦＢの編針Ｆの編目は、図１の丸囲み拡大図に示す左側の装飾ユニット２における上辺２Ｕの左端を固定するための左固定編目１３である。ＦＢの編目Ｌの編目は、左側の装飾ユニット２における上辺２Ｕの右端を固定するための右固定編目１７であって、右側の装飾ユニット２における上辺２Ｕの左端を固定するための左固定編目１３でもある。なお、紙面の都合上、右側の装飾ユニット２のための右固定編目１７は、Ｓ１５では示されていない。
【００３９】
Ｓ１５では、給糸口８を一方向に移動させ、ＦＢの編針Ｆ，Ｌの編目１３，１７にタックを行うと共に、その他の部分ではミスを行う（工程ηに相当）。その結果、Ｓ１４においてＢＢに目移ししておいたベース編地部１Ｆの編目（ＢＢの編針Ｃ，Ｅ，Ｉ，Ｋ，Ｏ，Ｑの編目）の表側を横切る装飾編糸Ｙ８で構成される上辺２Ｕが形成される。
【００４０】
Ｓ１６では、Ｓ１４においてＢＢの編針Ｃ，Ｅ，Ｉ，Ｋ，Ｏ，Ｑに預けておいたベース編地部１Ｆの編目を、ＦＢの編針Ｂ，Ｄ，Ｈ，Ｊ，Ｎ，Ｐに戻す。Ｓ１６の後は、ベース編地部１Ｂに対してもＳ１４〜Ｓ１６と同様の編成を行う。ベース編地部１Ｂに対する編成が終了したときの編目の係止状態、および装飾編糸Ｙ８の配置状態をＳ１７に示す。
【００４１】
Ｓ１８では、ベース編地部１Ｆ，１Ｂの編目、左辺編目２１、および右辺編目２９のウエール方向に続く新たな編目を編成すると共に、空針に白抜き矢印で示す捻り目を編成する（工程εに相当）。このＳ１８によって、左辺編目２１および右辺編目２９がベース編地部１Ｆ，１Ｂに接続され、装飾ユニット２の左辺２Ｌおよび右辺２Ｒが形成される。ここで、Ｓ１８で形成する捻り目は、図３のＳ１で減らした編幅方向に並ぶ編目の数を元に戻すためのものである。
【００４２】
以上説明した編成工程に従えば、図１に示す装飾柄１１１を無縫製でシューズアッパー１００に形成することができる。このような装飾柄１１１を有する編地は今までに無い新規なものである。
【００４３】
＜実施形態２＞
実施形態１で説明した編地の編成方法を応用することで、多種多様な装飾ユニット２を編成することができる。そのような装飾ユニットの一例を、図６（Ａ）〜（Ｄ）に例示する。ここで、図６では、説明の便宜上、編目で構成される左辺２Ｌおよび右辺２Ｒを太線で示している。
【００４４】
図６（Ａ）には、下辺２Ｄ、左辺２Ｌ、および右辺２Ｒで構成される装飾ユニット２が示されている。このような装飾ユニット２を編成する場合、図３のＳ１〜図５のＳ１３の編成を行った後、ベース編地部１Ｆ，１Ｂに対してＳ１４〜Ｓ１６に相当する編成を行わずに、Ｓ１８に相当する編成を行えば良い。
【００４５】
図６（Ｂ）には、左辺２Ｌと右辺２Ｒが傾斜した装飾ユニット２が示されている。このような装飾ユニット２を編成する場合、図５のＳ１７の後に、左辺編目２１および右辺編目２９を編幅方向の異なる位置に移動させてから、Ｓ１８に相当する編成を行えば良い。ここで、図６（Ｂ）では、下辺２Ｄと右辺２Ｒとが繋がっているが、これは、図３のＳ２において、ＦＢに起点編目１１，１９のみを残すことで達成することができる。
【００４６】
図６（Ｃ）には、点線状に形成された装飾ユニット２が示されている。このような装飾ユニット２を編成する場合、まず初めに、点線状の下辺２Ｄと、短い左辺２Ｌおよび右辺２Ｒを編成する。下辺２Ｄは、図３のＳ２において、左側起点編目１１と右側起点編目１９との間にある複数の編目を、ＦＢとＢＢとに振り分けておけば、編成することができる。
【００４７】
左辺２Ｌおよび右辺２Ｒをベース編地部に固定したら、ベース編地部と、左辺２Ｌ（右辺２Ｒ）に続く補助辺２Ｌｈ（補助辺２Ｒｈ）と、を編成する。補助辺２Ｌｈ，２Ｒｈは、装飾編糸でベース編地部に編目を編成することで形成することができる。上辺２Ｕは、図５のＳ１４において、左固定編目１３と右固定編目１７との間にある複数の編目を、ＦＢとＢＢとに振り分けておけば、編成することができる。
【００４８】
図６（Ｄ）には、ベース編地部のウエール方向に連続する装飾ユニット２が示されている。この例では、上段の装飾ユニット２の下辺２Ｄが、下段の装飾ユニット２の上辺２Ｕを兼ねている。このような場合、下段の装飾ユニット２の下辺２Ｄ、左辺２Ｌ、および右辺２Ｒを編成した後、上段の装飾ユニット２の下辺２Ｄ、左辺２Ｌ、および右辺２Ｒを編成すれば良い。上段の装飾ユニット２の上辺２Ｕは、図５のＳ１４〜Ｓ１６の編成と同様の編成によって得られる。下段の装飾ユニット２と上段の装飾ユニット２をずらして編成することもできる。そうすることでレンガでできた壁のような模様の装飾を形成することができる。
【００４９】
また、図示しないが、下辺・左辺・右辺が三角形になった装飾ユニットを形成することもできる。その場合、図５のＳ１８を行う際、左辺編目２１と右辺編目２９とを重ね合わせておくと良い。
【００５０】
複数の装飾ユニットを編幅方向の離れた位置に形成することもできる。左側の装飾ユニットと右側の装飾ユニットは、一度に連続して編成することができる。例えば、装飾編糸を給糸する給糸口を右側に移動させる場合、左側の装飾ユニットの左辺編目、下辺の渡り糸、右辺編目を形成した後、装飾編糸をベース編地部の裏側に通し、右側の装飾ユニットの左辺編目、下辺の渡り糸、右辺編目を形成すれば良い。
【００５１】
＜その他＞
上記実施形態１，２で説明した装飾ユニット２は、シューズアッパー１００以外の編地にも適用することができる。例えば、ニットウェアやニットパンツ、あるいはハンカチなどのニット製の小物、さらにはニット製のカバーなどに装飾ユニット２を適用することができ、それらのデザイン性を向上させることができる。また、実施形態１，２では装飾ユニット２を形成するベース編地部１を天竺組織としたが、リブ組織などの他の編組織であっても構わない。
【符号の説明】
【００５２】
ＦＢ  前針床  ＢＢ  後針床
１００  シューズアッパー（編地）  １００ｓ  編出し部
１１０  インステップカバー
１１１  装飾柄  １１２  甲部  １１３  側部
１２０  ソールカバー
１，１Ｆ，１Ｂ  ベース編地部
１０Ｆ  ベース前部  １０Ｂ  ベース後部
１１  左側起点編目  １９  右側起点編目
１３  左固定編目  １７  右固定編目
２  装飾ユニット
２Ｄ  下辺  ２Ｕ  上辺  ２Ｌ  左辺  ２Ｒ  右辺
２１  左辺編目  ２９  右辺編目  ２５  掛け目
２Ｌｈ，２Ｒｈ  補助辺
７，８  給糸口
Ｙ７  ベース編糸  Ｙ８  装飾編糸
【図１】
2016059879.tif 000003
【図２】
2016059879.tif 000004
【図３】
2016059879.tif 000005
【図４】
2016059879.tif 000006
【図５】
2016059879.tif 000007
【図６】
2016059879.tif 000008
【国際調査報告】
2016059879.tif 000009
2016059879.tif 000010
2016059879.tif 000011
2016059879.tif 000012
2016059879.tif 000013
2016059879.tif 000014